(57)【要約】【課題】  回転速度を簡易に調整することができる食器洗浄機用噴射ノズルを提供する。【解決手段】  洗浄ノズル１２，１４は、ノズル本体３２の噴射穴３４ａ〜３８ａから食器類に向けて水を噴射すると共に、その水の噴射力によって自転する食器洗浄機用洗浄ノズルである。この洗浄ノズル３２は、ノズル本体３２の回転方向Ａにおける後方に向かって水を噴射する開閉可能な加速用噴射孔４１と、ノズル本体３２の回転方向Ａにおける前方に向かって水を噴射する開閉可能な減速用噴射孔４２と、を備えている。【選択図】  図３
2006304876.tif 000002
【特許請求の範囲】
【請求項１】
洗浄室内に配置され、ノズル本体の噴射穴から食器類に向けて水を噴射すると共に、その水の噴射力によって自転する食器洗浄機用噴射ノズルにおいて、
前記ノズル本体に設けられ、前記ノズル本体の回転方向における後方に向かって水を噴射する開閉可能な加速用噴射孔と、
前記ノズル本体に設けられ、前記ノズル本体の回転方向における前方に向かって水を噴射する開閉可能な減速用噴射孔と、を備えたことを特徴とする食器洗浄機用噴射ノズル。
【請求項２】
前記加速用噴射孔と前記減速用噴射孔とを全て又は選択的に閉鎖するように前記ノズル本体の外周に着脱可能に装着される閉鎖部品を更に備え、
前記閉鎖部品は、前記ノズル本体に装着された状態において前記加速用噴射孔または前記減速用噴射孔の何れか一方のみに位置合わせされる開口を有することを特徴とする請求項１に記載の食器洗浄機用噴射ノズル。
【発明の詳細な説明】
【技術分野】
【０００１】
本発明は、洗浄室内に配置され、ノズル本体の噴射穴から食器類に向けて水を噴射する食器洗浄機用噴射ノズルに関するものである。
【背景技術】
【０００２】
従来、この分野の技術として、下記特許文献１に記載の食器洗浄機用の噴射ノズルが知られている。また、食器洗浄機に用いられる噴射ノズルとしては、ノズル本体の噴射穴から食器類に向けて水を噴射すると共に、その水の噴射力によって回転するものが知られている。このタイプの噴射ノズルは、ノズル本体から回転方向における後方に水を噴射し、その噴射力によって自力で回転する。このような噴射ノズルを備えた食器洗浄機は、様々な種類の食器類の洗浄に用いられている。
【特許文献１】特開平９−２８９９６３号公報
【発明の開示】
【発明が解決しようとする課題】
【０００３】
このような食器洗浄機においては、食器類の種類に応じた更なる適切な洗浄を行うために、洗浄される食器類の形状や重量等の諸条件によって、噴射ノズルの回転速度を調整することが望ましい。しかしながら、噴射ノズルの回転速度は、噴射穴の位置及び形状等によって定まるので、回転速度を変更するためには、ノズル本体の噴射穴の設計変更が必要となってしまう。このため、この種の食器洗浄機用噴射ノズルにあっては、回転速度の調整を簡易に行うことができない。
【０００４】
なお、上記特許文献１に記載の食器洗浄機用の噴射ノズルは、食器類に向けた水の噴射によって回転するものではなく、ノズル本体に水を噴射する回転噴射口が別途設けられているものである。この噴射ノズルは、回転噴射口から噴射される水の噴射力によって自転する。そして、この回転噴射口は、スライドさせることによって開口面積を変化させるスライド部材が設けられている。この噴射ノズルは、このスライド部材による開口面積の変更によって回転力を変化させ、回転速度を調整することができる。
【０００５】
そこで、上記問題点に鑑み、本発明は、噴射穴から噴射する噴射力によって自力で自転することを前提に、回転速度を簡易に調整することができる食器洗浄機用噴射ノズルを提供することを目的とする。
【課題を解決するための手段】
【０００６】
本発明に係る食器洗浄機用噴射ノズルは、洗浄室内に配置され、ノズル本体の噴射穴から食器類に向けて水を噴射すると共に、その水の噴射力によって自転する食器洗浄機用噴射ノズルにおいて、ノズル本体に設けられ、ノズル本体の回転方向における後方に向かって水を噴射する開閉可能な加速用噴射孔と、ノズル本体に設けられ、ノズル本体の回転方向における前方に向かって水を噴射する開閉可能な減速用噴射孔と、を備えたことを特徴とする。
【０００７】
この食器洗浄機用噴射ノズルは、ノズル本体の噴射穴から水が噴射されることで、その噴射力により標準的な回転速度をもって回転する。このような、回転する噴射ノズルにおいて、食器類の洗浄力を高める観点からは、洗浄室内の各食器類に当たる水の衝撃力を大きくすべく噴射ノズルの回転速度を小さくすることが有利である。ところが、例えば、食器類の重量が小さい場合に、回転速度が小さく各食器類に加わる衝撃力が強すぎると、食器類が洗浄室内で動いてしまう等の問題が発生する。このため、食器類が動いてしまう問題と洗浄力とのバランスを考慮しながら、食器類の重量に応じて、適切な噴射ノズルの回転速度を設定することが必要である。特に、食器類の下側から水を噴射する場合には、食器類が水の衝撃力で浮いて動きやすく、上記問題が発生しやすいので、食器類よりも下側に配置される下側噴射ノズルにあっては、このような回転速度の調整が特に重要である。
【０００８】
ここで、この食器洗浄機用噴射ノズルでは、加速用噴射孔を開け減速用噴射孔を閉じると、加速用噴射孔からも回転方向における後方に向かって更に水が噴射される。すると、この水の噴射力によってノズル本体が回転方向と同じ向きの力を受けることになり、回転力の増加によって回転速度が増大する。また、逆に減速用噴射孔を開け加速用噴射孔を閉じると、減速用噴射孔から回転方向における前方に向かって水が逆噴射される。すると、この水の噴射力によってノズル本体が回転方向とは反対向きの力を受けることになり、回転力の減少によって回転速度が減少する。以上のように、この噴射ノズルでは、加速用噴射孔及び減速用噴射孔の開閉によって、簡易に回転速度を加速したり減速したりすることができ、標準的な回転速度よりも大きい速度及び小さい速度を簡易に達成することができる。
【０００９】
また、本発明に係る食器洗浄機用噴射ノズルは、加速用噴射孔と減速用噴射孔とを全て又は選択的に閉鎖するようにノズル本体の外周に着脱可能に装着される閉鎖部品を更に備え、閉鎖部品は、ノズル本体に装着された状態において加速用噴射孔または減速用噴射孔の何れか一方のみに位置合わせされる開口を有すると好適である。
【００１０】
このような閉鎖部品がノズル本体に装着された場合には、加速用噴射孔または減速用噴射孔の何れか一方に開口が位置合わせされることになるので、その一方の噴射孔は開口を通して水を噴射するが、他方の噴射孔は閉鎖部品に閉鎖され水を噴射しない。このように、ノズル本体に閉鎖部品を装着することで、加速用噴射孔と減速用噴射孔との何れか一方のみを選択的に開放し、回転速度の加速又は減速を選択的に行うことができる。また、ノズル本体の加速用噴射孔と減速用噴射孔とを全て閉鎖するように閉鎖部品を装着することで、噴射穴からの噴射力のみを利用した標準的な回転速度とすることも可能となる。
【発明の効果】
【００１１】
本発明によれば、噴射穴から噴射する噴射力によって自力で自転することを前提とした食器洗浄機用噴射ノズルにおいて、回転速度を簡易に調整することができる。
【発明を実施するための最良の形態】
【００１２】
以下、図面を参照しつつ本発明に係る食器洗浄機用ノズルを備えた食器洗浄機の好適な実施形態について詳細に説明する。
【００１３】
〔第１実施形態〕
図１及び図２に示すように、食器洗浄機１は、ステンレス製の洗浄機本体２を有している。この洗浄機本体２は、洗浄室３が形成された上側部分２ａと、機械室４が形成された下側部分２ｂとに仕切られている。さらに、洗浄機本体２の背面側におけるコーナ部には、上側部分２ａと下側部分２ｂとに渡って上下方向に延びる支柱６が配置され、支柱６，６間には背面パネル５が延在している。
【００１４】
また、洗浄機本体２の上側部分２ａには、洗浄室３の開閉を行うための箱型のドア７が設けられている。このドア７は、左右一対のステンレス製支柱６よりも内側に配置された左右一対のガイドレール（図示せず）により上下方向に案内されると共に、前方において水平方向に延在するハンドル８によって上下動させることができる。このハンドル８の両端には左右一対の回動アーム１０，１０の先端が固定され、各回動アーム１０はドア７の側面７ａに沿って斜めに配置されている。そして、ハンドル８の回動運動に対してドア７を上下運動させる必要があるので、回動アーム１０には、ドア７の側面７ａに沿って配置されたリンク部１６の上端が回動自在に連結され、リンク部１６の下端は、軸ピン１６ａを介してドア７に連結されている。なお、洗浄機本体２の底面の四隅には脚部９が取り付けられており、食器洗浄機１の安定した設置が可能となっている。
【００１５】
上述した洗浄室３内には、跳ね上げ式のラックレール１１が着脱自在に配置されており、このラックレール１１上に、飲食後の食器類が並べられた格子状の食器ラック（図示せず）が載置される。更に、洗浄室３内の上部には、放射状に延びる３本のアームを有する回転自在な上側洗浄ノズル（噴射ノズル）１２と、一直線状に延びる２本のアームを有する回転自在な上側濯ぎノズル（噴射ノズル）１３とが同心的に配置されている。同様に、洗浄室３内の下部には、回転自在な下側洗浄ノズル（噴射ノズル）１４と下側濯ぎノズル（噴射ノズル）１５とが同心的に配置されている。
【００１６】
このような構成を有する洗浄室３の底部には、機械室４内に突出するように洗浄水タンク１７が形成されており、洗浄室３と洗浄水タンク１７との間には、残菜フィルタ１８が着脱自在に配置されている。この洗浄水タンク１７の前面には、洗浄水タンク１７内に吸込口及び吐出口が位置するような洗浄水供給ポンプ（以下「洗浄ポンプ」という）１９が直付けされており、部品点数の減少化と省スペース化とが達成されている。この洗浄ポンプ１９の吐出口には洗浄水流通管２１が接続され、この洗浄水流通管２１は、洗浄水タンク１７内及び洗浄室３内を通って、上側洗浄ノズル１２と下側洗浄ノズル１４とに接続されている。
【００１７】
更に、機械室４内には、外部の給湯器（図示せず）から濯ぎ水が供給される濯ぎ水タンク２２が収容されており、この濯ぎ水タンク２２には、吸込管２３を介して濯ぎ水供給ポンプ（以下「濯ぎポンプ」という）２４が接続されている。この濯ぎポンプ２４は、縦置き状態で設置されており、機械室４内のスペースの有効利用が図られている。この濯ぎポンプ２４の吐出口には吐出管２６が接続され、この吐出管２６の端部２６ａは洗浄水タンク１７内に延在している。そして、吐出管２６の端部２６ａには濯ぎ水流通管２７が接続され、この濯ぎ水流通管２７は、洗浄水タンク１７内及び洗浄室３内を通って、上側濯ぎノズル１３と下側濯ぎノズル１５とに接続されている。なお、機械室４内には、食器洗浄機１の動作全般を制御するマイクロコンピュータ等が内蔵された電装ボックス（図示せず）等も収容されている。
【００１８】
次に、前述した食器洗浄機１の動作について簡単に説明する。洗浄運転時においては、前回の濯ぎの際に洗浄水タンク１７内に溜められている６０°Ｃ程度の洗浄水が利用される。先ず、洗浄開始ボタンをＯＮすると、洗浄ポンプ１９によって洗浄水が上側及び下側洗浄ノズル１２，１４から噴射を開始する。このとき、各洗浄ノズル１２，１４は、噴射力によって常に回転し続け、このような回転によって洗浄水が満遍なく食器類に当たり続けるので、食器類から汚損物が効率良く洗い落とされる。そして、洗浄工程を所定時間行った後、濯ぎ工程に移行する。
【００１９】
濯ぎ運転時においては、所定容量をもった濯ぎ水タンク２２内に溜められている８０°Ｃの温水が利用される。そして、濯ぎ工程に移行した際、濯ぎポンプ２４の駆動により、濯ぎ水が上側及び下側濯ぎノズル１３，１５から噴射されると、各濯ぎノズル１３，１５は、噴射力の反力によって常に回転し続け、このような回転により、濯ぎ水が満遍なく食器に当たり続け、食器を効率良く濯ぎ続ける。なお、濯ぎ時に洗浄水タンク１７内に溜められる温水は、水の利用効率を高めるために洗浄水として再利用される。
【００２０】
ここで、図３に示すように、前述した食器洗浄機１に適用される下側洗浄ノズル１４は、洗浄水流通管２１の先端に回転自在に装着された樹脂製のボス部３０と、ボス部３０から放射状に延在する３本のステンレス製ノズル本体３２とを備えている。なお、上側洗浄ノズル１２と下側洗浄ノズル１４とは、互いに同等の構成を備え、同等の機能を有しているので、以下においては下側洗浄ノズル１４について説明し、上側洗浄ノズル１２についての説明を省略する。この下側洗浄ノズル１４の各ノズル本体３２にはネジ穴３９（図４参照）が設けられ、各ノズル本体３２の基端は、ネジによってボス部３０に着脱自在に取り付けられている。ノズル本体３２は、扁平な円筒状に形成されることで、省スペース化が図られ、洗浄室３を広く使うことができる。
【００２１】
図３〜図６に示すように、このノズル本体３２には、外方に向けて山形に膨出した５固の突出部３４，３５，３６，３７，３８が設けられ、各突出部３４〜３８の頂部には噴射穴３４ａ，３５ａ，３６ａ，３７ａ，３８ａが設けられている。この噴射穴３４ａ〜３８ａは、洗浄水流通管２１を通じて洗浄ノズル１４に送られた洗浄水を、洗浄室３内の食器類に向けて斜め上の後方向（矢印Ｓ方向）に噴射し、その噴射力によって、洗浄ノズル１４は、ボス部３０を中心として水平面内で矢印Ａ方向に自転することになる。このような斜め方向への洗浄水の噴射は、噴射穴３４ａ〜３８ａの位置及び形状を、所望の噴射方向に合わせ傾斜させて形成することより達成される。このとき、噴射された洗浄水は食器類に当たり、その洗浄水の衝撃力によって食器類から汚損物が除去される。
【００２２】
ここで、このような洗浄ノズル１４においては、回転方向における後方に向けて洗浄水が噴射されるので、回転速度が小さいほど食器類に当たる水の流速が大きく、その衝撃力も強くなる。このため、食器類の洗浄力を高める観点からは、洗浄ノズル１４の回転速度を小さくすることが有利である。しかしながら、食器類の重量が小さい場合に、回転速度が小さく各食器類に加わる衝撃力が強すぎると、食器類が洗浄室内で動いてしまう等の問題が発生する。このため、食器類が動いてしまう問題と洗浄力とのバランスを考慮しながら、洗浄される食器類の重量に応じて、適切な洗浄ノズル１４の回転速度を設定することが必要である。例えば、洋食器や中華用食器等の中程度の重量の食器類を洗浄する場合には、標準的な回転速度で対応できるが、例えば、重量が大きい容器やトレー等を洗浄する場合には、回転速度を小さく設定し洗浄力を強化することが望ましい。逆に重量が小さい和食器や軽食器等を洗浄する場合には、食器飛びを抑えるために、回転速度を大きく設定し、洗浄水による衝撃力を抑えることが好ましい。特に、食器類の下方から洗浄水が当たる場合には、食器類が水の衝撃力で浮いて動きやすく、上記の食器飛び等の問題が発生しやすいので、下側洗浄ノズル１４にあっては、このような回転速度の調整が特に重要である。
【００２３】
そこで、図３〜図６に示すように、ノズル本体３２には、洗浄ノズル１４の回転速度を調整するために洗浄水を噴射する加速用噴射孔４１と減速用噴射孔４２とが設けられている。この加速用噴射孔４１は、回転方向Ａにおける斜め上の後方向Ｊ（図６参照）に水を噴射し、回転方向Ａに一致する向きの回転力を発生させて洗浄ノズル１４の回転速度を増加させる。逆に、減速用噴射孔４２は、回転方向Ａにおける斜め上の前方向Ｒ（図６参照）に水を噴射し、その回転方向Ａとは反対向きの回転力を発生させて、洗浄ノズル１４の回転速度を減少させる。これらの噴射孔４１，４２は、上記の加速又は減速の作用を効果的に奏するように、ノズル本体３２の先端に比較的近い位置である噴射穴３７ａと噴射穴３８ａとの間に設けられており、加速用噴射孔４１は回転方向Ａにおける後側に、減速用噴射孔４２は回転方向Ａにおける前側に位置している。なお、加速用噴射孔４１は減速用噴射孔４２よりも径が大きい。
【００２４】
さらに、洗浄ノズル１４は、これらの加速用及び減速用噴射孔４１，４２を選択的に閉鎖するために、ノズル本体３２の外周に着脱可能に装着されるクリップ（閉鎖部品）３３を備えている。クリップ３３は、装着位置におけるノズル本体３２の周囲よりも内径がわずかに小さいＣ文字形を呈する帯状のバネ綱材である。従って、クリップ３３は、両端の距離が拡がる方向に弾性変形されながらノズル本体３２に装着された後、それ自体の復元力によってノズル本体３２の外周に密着し、径方向の応力をもって容易に脱落しない程度に固定される。このクリップ３３は、加速用及び減速用噴射孔４１，４２に対応する位置において、ノズル本体３２の外周に装着されることで、加速用及び減速用噴射孔４１，４２の一方又は双方を閉鎖する閉鎖部品として機能する。
【００２５】
また、このクリップ３３には、加速用噴射孔４１と同じ径の開口３３ａが１つ形成されており、この開口３３ａは、クリップ３３の一方の端部に位置している。クリップ３３が、切り欠き側を上に向け且つ開口３３ａが回転方向Ａにおける後方に位置するような向き（図５（ａ）及び図６参照）でノズル本体３２に装着された状態において、開口３３ａは加速用噴射孔４１に位置合わせされる。従って、クリップ３３がノズル本体３２に上記のように装着された際には、減速用噴射孔４２がクリップ３３によって閉鎖され洗浄水を噴射しない一方で、加速用噴射孔４１から噴射される洗浄水は開口３３ａを通して斜め上の後方向Ｊに噴射される。この場合、加速用噴射孔４１からの水の噴射力が、回転方向Ａに一致する向きの回転力を発生させるので、洗浄ノズル１４の回転が加速されることになる。
【００２６】
逆に、このクリップ３３が、切り欠き側を上に向け且つ開口３３ａが回転方向Ａにおける前方側に位置するような向き（図５（ｂ）参照）でノズル本体３２に装着された場合には、開口３３ａは、減速用噴射孔４２に位置合わせされる。この場合、加速用噴射孔４１がクリップ３３によって閉鎖され、減速用噴射孔４１から噴射される洗浄水は開口３３ａを通して斜め上の前方向Ｒに噴射される。そして、減速用噴射孔４２からの水の噴射力が、回転方向Ａとは反対の向きの回転力を発生させるので、洗浄ノズル１４の回転が減速されることになる。
【００２７】
更に、クリップ３３は、切り欠き側を下に向けて（図５（ｃ）参照）ノズル本体３２に装着することも可能である。この場合、加速用及び減速用噴射孔４１，４２は双方とも閉鎖されて洗浄水を噴射しないので、洗浄ノズル１４は、噴射穴３４ａ〜３８ａの噴射力のみによる標準的な回転速度で回転することになる。
【００２８】
以上のように、クリップ３３は、上記３通りの装着方法の何れかを選択してノズル本体３２に装着されることで、加速用及び減速用噴射孔４１，４２の双方又は何れか一方を選択的に閉鎖することが可能である。よって、洗浄ノズル１２，１４の回転速度を、標準的な速度、標準よりも大きい速度、及び標準よりも小さい速度の３段階で調整することができる。また、３本のノズル本体３４毎に、独立して上記３段階の調整がなされれば、その組合せによって、洗浄ノズル１２，１４の回転速度を更に多段階に調整することが可能となる。このような洗浄ノズル１２，１４の回転速度の調整により、食器類に合わせて最適な洗浄力を得ることができるので、食器洗浄機１が用いられる様々な業態に対応することができる。なお、上述したように、下側洗浄ノズル１４にあっては、このような回転速度の調整が特に重要であるので、上述した洗浄ノズルの構成は、下側洗浄ノズル１４には特に好適に適用される。
【００２９】
また、クリップ３３は、ノズル本体３２に装着される際、ノズル本体３２の外周に弾性力によって固定されるので、工具等を用いることなく容易に着脱することができ、例えば、食器洗浄機１の設置後においても、簡易に洗浄ノズル１２の回転速度を調整することが可能となる。また、クリップ３３をネジ等で締結する必要もないので、長期間の使用による締結部品の弛みによって、締結部品が脱落してしまうという問題も回避できる。
【００３０】
〔第２実施形態〕
本実施形態に係る洗浄ノズル１４Ａのノズル本体５０について図７を用いて説明する。なお、本実施形態において、第１実施形態と同一又は同等な構成部分には同一符号を付し、重複する説明を省略する。
【００３１】
図７に示すように、このノズル本体５０は、断面が円形をなす点で第１実施形態のノズル本体３２とは異なっている。この断面形状に対応して、加速用及び減速用噴射孔５１，５２を閉鎖するための閉鎖バンド（閉鎖部品）５３も、円形断面のリング状を呈し、加速用及び減速用噴射孔５１，５２位置において周方向に回転自在に装着されている。閉鎖バンド５３には、径方向に貫通する雌ネジ部５４が設けられ、この雌ネジ部５４には止めネジ５６が螺着されている。そして、止めネジ５６の先端をノズル本体５０の表面に押し当てるようにネジ込むことで、閉鎖バンド５３は、ノズル本体５０に脱落しない程度に固定される。また、止めネジ５６を緩めることで、閉鎖バンド５３を任意の方向に回転させることができる。さらに、閉鎖バンド５３には、開口５３ａが設けられており、閉鎖バンド５３が周方向に回転されることで、この開口５３ａを、加速用噴射孔５１、減速用噴射孔５２の何れかに位置合わせすることができる。
【００３２】
このような構成に基づいて、開口５３ａが加速用噴射孔５１に位置合わせされると、減速用噴射孔５２が閉鎖バンド５３によって閉鎖され洗浄水を噴射しない一方で、加速用噴射孔５１から噴射される洗浄水は開口５３ａを通して斜め上の後方向に噴射される。この場合、加速用噴射孔５１からの水の噴射力が、回転方向に一致する向きの回転力を発生させるので、洗浄ノズルの回転が加速されることになる。逆に、開口５３ａが減速用噴射孔５２に位置合わせされると、加速用噴射孔５１が閉鎖バンド５３によって閉鎖され洗浄水を噴射しない一方で、減速用噴射孔５２から噴射される洗浄水は開口５３ａを通して斜め上の前方向に噴射される。この場合、減速用噴射孔５２からの水の噴射力が、回転方向とは反対の向きの回転力を発生させるので、洗浄ノズルの回転が減速されることになる。更に、閉鎖バンド５３が回転自在であることから、開口５３ａを加速用及び減速用噴射孔５１，５２の何れにも対応しない位置に移動させることもできる。この場合、加速用及び減速用噴射孔５１，５２は双方ともに閉鎖されて洗浄水を噴射せず、洗浄ノズルは標準的な回転速度をもって回転する。
【００３３】
以上のようなノズル本体５０を備えた洗浄ノズル１４Ａによっても、洗浄ノズルの回転速度を、標準的な速度、標準よりも大きい速度、及び標準よりも小さい速度の３段階で調整することができる。また、３本のノズル本体５０毎に、独立して上記３段階の調整がなされれば、その組合せによって、洗浄ノズル１４Ａの回転速度を更に多段階に調整することが可能となる。
【００３４】
〔第３実施形態〕
本実施形態に係る洗浄ノズル１４Ｂのノズル本体６０について図８を用いて説明する。なお、本実施形態において、第１又は第２実施形態と同一又は同等な構成部分には同一符号を付し、重複する説明を省略する。
【００３５】
図８に示すように、このノズル本体６０の外周には、加速用及び減速用噴射孔５１，５２が設けられた部分に対応して、周方向に三つ一組の嵌合凹部６４，６６，６８及び嵌合凹部６５，６７，６９が形成されている点で第２実施形態のノズル本体５０とは異なっている。この相違に対応して、加速用及び減速用噴射孔５１，５２を閉鎖するための閉鎖バンド６３は、切り欠きを有するＣ文字形の形状をなし、その一端には、上記嵌合凹部６４，６６，６８の何れかに嵌合するＶ字断面の嵌合凸部６３ｃと、その他端には、上記嵌合凹部６５，６７，６９の何れかに嵌合するＶ字断面の嵌合凸部６３ｄとが形成されている。この閉鎖バンド６３は、径方向における弾性を有しており、嵌合凸部６３ｃ，６３ｄが各嵌合凹部６４〜６９のいずれかに嵌合した際には、径方向の応力をもって容易に脱落しない程度にノズル本体５０に固定される。そして、閉鎖バンド６３を、ノズル本体６０の表面に沿って周方向に段階的に回転させることで、嵌合凸部６３ｃ，６３ｄと嵌合する嵌合凹部６４〜６９を段階的に切り替えることができる。
【００３６】
更に、閉鎖バンド６３には、開口６３ａ，６３ｂが形成されている。この開口６３ａは、嵌合凸部６３ｃが嵌合凹部６４に嵌合し、嵌合凸部６３ｄが嵌合凹部６５に嵌合したときに加速用噴射孔５１に位置合わせされる。また、開口６３ｂは、嵌合凸部６３ｃが嵌合凹部６６に嵌合し、嵌合凸部６３ｄが嵌合凹部６７に嵌合したときに加速用噴射孔５１に位置合わせされる。そして、嵌合凸部６３ｃが嵌合凹部６８に嵌合し、嵌合凸部６３ｄが嵌合凹部６９に嵌合したときには、加速用及び減速用噴射孔５１，５２の双方が閉鎖バンド６３によって閉鎖されることになる。
【００３７】
このような加速用及び減速用噴射孔５１，５２及び開口６３ａ，６３ｂの位置関係に基づき、開口６３ａが加速用噴射孔５１に位置合わせされると、加速用噴射孔５１からの水の噴射力が、回転方向に一致する向きの回転力を発生させるので、洗浄ノズルの回転が加速されることになる。逆に、開口６３ｂが減速用噴射孔５２に位置合わせされると、減速用噴射孔５２からの水の噴射力が、回転方向とは反対の向きの回転力を発生させるので、洗浄ノズルの回転が減速されることになる。更に、嵌合凸部６３ｃが嵌合凹部６８に嵌合し、嵌合凸部６３ｄが嵌合凹部６９に嵌合したときには、加速用及び減速用噴射孔５１，５２の双方が閉鎖バンド６３によって閉鎖されるので、洗浄ノズルは標準的な回転速度をもって回転する。
【００３８】
以上のようなノズル本体６０を備えた洗浄ノズル１４Ｂによっても、洗浄ノズルの回転速度を、標準的な速度、標準よりも大きい速度、及び標準よりも小さい速度の３段階で調整することができる。また、３本のノズル本体６０毎に、独立して上記３段階の調整がなされれば、その組合せによって、洗浄ノズル１４Ｂの回転速度を更に多段階に調整することが可能となる。
【００３９】
本発明は、前述した実施形態に限定されるものではない。例えば、前述の実施形態では、下側洗浄ノズル１４，１４Ａ，１４Ｂに本発明を適用したが、本発明は、上側洗浄ノズル１２に適用してもよく、上側及び下側濯ぎノズル１３，１５に適用してもよい。また、加速用噴射孔４１，５１は１つが設けられているが、複数の加速用噴射孔が設けられてもよい。また、減速用噴射孔４２，５２は１つが設けられているが、複数の減速用噴射孔が設けられてもよい。
【図面の簡単な説明】
【００４０】
【図１】本発明に係る食器洗浄機用噴射ノズルが適用される食器洗浄機の一実施形態を示す斜視図である。
【図２】図１に示した食器洗浄機の断面図である。
【図３】本発明に係る食器洗浄機用噴射ノズルの第１実施形態を示す斜視図である。
【図４】ノズル本体の平面図である。
【図５】（ａ）,（ｂ）,（ｃ）は、ノズル本体の先端部付近を示す斜視図である。
【図６】図４におけるＶＩ−ＶＩ断面図である。
【図７】食器洗浄機用噴射ノズルの他の実施形態を示す断面図である。
【図８】食器洗浄機用噴射ノズルの更に他の実施形態を示す断面図である。
【符号の説明】
【００４１】
１…食器洗浄機、３…洗浄室、１２…上側洗浄ノズル（食器洗浄機用噴射ノズル）、１４，１４Ａ，１４Ｂ…下側洗浄ノズル（食器洗浄機用噴射ノズル）１３，１５…濯ぎノズル（食器洗浄機用噴射ノズル）、３２，５０，６０…ノズル本体、３３…クリップ（閉鎖部品）、３３ａ，５３ａ，６３ａ，６３ｂ…開口、３４，３５，３６，３７，３８…噴射穴、４１，５１…加速用噴射孔、４２，５２…減速用噴射孔、５３，６３…閉鎖バンド（閉鎖部品）、Ａ…回転方向。
【図１】
2006304876.tif 000003
【図２】
2006304876.tif 000004
【図３】
2006304876.tif 000005
【図４】
2006304876.tif 000006
【図５】
2006304876.tif 000007
【図６】
2006304876.tif 000008
【図７】
2006304876.tif 000009
【図８】
2006304876.tif 000010